【手続補正書】
【提出日】平成29年7月19日(2017.7.19)
【手続補正１】
【補正対象書類名】明細書
【補正対象項目名】０００６
【補正方法】変更
【補正の内容】
【０００６】
上記目的を達成するために、本発明に係る撮像装置は、透過性を有する半球状のカバー部材を保持する保持手段と、前記保持手段に保持された前記カバー部材の内側に配置され、チルト機構により撮像レンズのチルト位置を変えることができる撮像手段と、前記撮像手段で撮影された画像を入力し、該画像に対して画質補正のための画像処理を行う画像処理手段とを備え、前記画像処理手段は、前記撮像レンズのチルト位置に応じて、前記画質補正のための画像処理を行うことを特徴とする。
【手続補正２】
【補正対象書類名】特許請求の範囲
【補正対象項目名】全文
【補正方法】変更
【補正の内容】
【特許請求の範囲】
【請求項１】
透過性を有する半球状のカバー部材を保持する保持手段と、
前記保持手段に保持された前記カバー部材の内側に配置され、チルト機構により撮像レンズのチルト位置を変えることができる撮像手段と、
前記撮像手段で撮影された画像を入力し、該画像に対して画質補正のための画像処理を行う画像処理手段とを備え、
前記画像処理手段は、前記撮像レンズのチルト位置に応じて、前記画質補正のための画像処理を行うことを特徴とする撮像装置。
【請求項２】
前記保持手段は、前記カバー部材を着脱可能に保持し、
前記画像処理手段は、前記カバー部材が前記保持手段に装着されていた場合と前記カバー部材が前記保持手段に装着されていない場合とで前記画質補正のための画像処理を変更することを特徴とする請求項１に記載の撮像装置。
【請求項３】
前記画質補正のための画像処理には、シャープネス、ガンマ、彩度、ノイズリダクション、色収差の少なくとも一つが含まれることを特徴とする請求項１または２に記載の撮像装置。
【請求項４】
前記カバー部材は、一定の曲率を有する第１の曲面と、前記第１の曲面に連続して形成され、前記第１の曲面と曲率の異なる曲面、もしくは、曲面ではない平面を含む第２の部位とで構成され、
前記画像処理手段は、前記カバー部材が前記保持手段に装着されていた場合、前記撮像レンズの画角が、前記カバー部材の第１の曲面に収まる範囲にあるときよりも、前記第１の曲面と前記第２の部位に跨がる範囲または前記第２の部位に収まる範囲にあるときに、前記画質補正のレベルが強くなるように前記画像処理を行うことを特徴とする請求項１乃至３のいずれか１項に記載の撮像装置。
【請求項５】
前記第２の部位は、前記第１の曲面よりも前記保持手段に近い位置にあること特徴とする請求項４に記載の撮像装置。
【請求項６】
前記カバー部材が前記保持手段に装着されている状態のときに、前記撮像レンズの画角が前記第１の曲面に収まる範囲にあるときの前記撮像レンズのチルト位置を第１のチルト位置とし、前記撮像レンズの画角が前記第１の曲面と前記第２の部位に跨がる範囲または前記第２の部位に収まる範囲にあるときの前記撮像レンズのチルトを第２のチルト位置とすると、
前記画像処理手段は、前記撮像レンズのチルト位置が前記第１のチルト位置であるときには、前記カバー部材が前記保持手段に装着された場合と前記カバー部材が前記保持手段に装着されていない場合とで前記画質補正のレベルを等しくし、
前記撮像レンズのチルト位置が前記第２のチルト位置であるときには、前記カバー部材が前記保持手段に装着された場合と前記カバー部材が前記保持手段に装着されていない場合とで前記画質補正のレベルを異ならせることを特徴とする請求項４または５に記載の撮像装置。
【請求項７】
前記カバー部材が前記保持手段に装着されている状態のときに、前記撮像レンズの画角が前記第１の曲面に収まる範囲にあるときの前記撮像レンズのチルト位置を第１のチルト位置とし、前記撮像レンズの画角が前記第１の曲面と前記第２の部位に跨がる範囲または前記第２の部位に収まる範囲にあるときの前記撮像レンズのチルト位置を第２のチルト位置とすると、
前記画像処理手段は、前記撮像レンズのチルト位置が前記第１のチルト位置であるときの、前記カバー部材が前記保持手段に装着された場合の前記画質補正のレベルと前記カバー部材が前記保持手段に装着されていない場合の前記画質補正のレベルの差よりも、
前記撮像レンズのチルト位置が前記第２のチルト位置であるときの、前記カバー部材が前記保持手段に装着された場合の前記画質補正のレベルと前記カバー部材が前記保持手段に装着されていない場合の前記画質補正のレベルの差を大きくすることを特徴とする請求項４または５に記載の撮像装置。
【請求項８】
前記画像処理手段は、前記撮像レンズの画角が、前記第１の曲面に収まる範囲を通過した場合よりも、前記第２の部位に収まる範囲を通過した場合の方が、前記画質補正のレベルが強くなるように前記画質補正のための画像処理を行うことを特徴とする請求項４乃至６のいずれか１項に記載の撮像装置。
【請求項９】
前記撮像レンズのチルト位置が第３のチルト位置であるときの前記撮像レンズと前記カバー部材との距離を第１の距離とし、前記撮像レンズのチルト位置が第４のチルト位置であるときの前記撮像レンズと前記カバー部材との距離を第２の距離とし、
前記画像処理手段は、前記撮像レンズと前記カバー部材との距離が、前記第１の距離のときよりも、前記第２の距離のときに、前記画質補正のレベルを強くするように前記画質補正のための画像処理を行うものであって、
前記第３のチルト位置は前記第４のチルト位置よりも前記カバー部材の天頂に近い位置、もしくは、前記第３のチルト位置は前記カバー部材の天頂を向く位置であることを特徴とする請求項１乃至３のいずれか１項に記載の撮像装置。
【請求項１０】
前記画像処理手段は、前記撮像レンズと前記カバー部材との距離が前記第１の距離のときには、前記カバー部材が前記保持手段に装着された場合と前記カバー部材が前記保持手段に装着されていない場合とで前記画質補正のレベルを等しくし、
前記撮像レンズと前記カバー部材との距離が前記第２の距離のときには、前記カバー部材が前記保持手段に装着された場合と前記カバー部材が前記保持手段に装着されていない場合とで前記画質補正のレベルを異ならせることを特徴とする請求項９に記載の撮像装置。
【請求項１１】
前記画像処理手段は、前記撮像レンズと前記カバー部材との距離が前記第１の距離にあるときよりも、前記撮像レンズと前記カバー部材との距離が前記第２の距離にあるときの方が、前記画質補正のレベルを強くすることを特徴とする請求項９または１０に記載の撮像装置。
【請求項１２】
前記画像処理手段は、ズーム位置、フォーカス位置、絞り位置の少なくとも一つに応じて前記画質補正のための画像処理を異ならせることを特徴とする請求項１乃至１１のいずれか１項に記載の撮像装置。
【請求項１３】
前記画像処理手段は、ズーム位置が広角から望遠になるにつれて、前記画質補正のレベルを強くすることを特徴とする請求項１２に記載の撮像装置。
【請求項１４】
前記画像処理手段は、フォーカス位置が無限から至近になるにつれて、前記画質の補正レベルを強くすることを特徴とする請求項１２または１３に記載の撮像装置。
【請求項１５】
透過性を有する半球状のカバー部材の内側に配置され、かつ、チルト機構により撮像レンズのチルト位置を変えることができる撮像手段で撮影された画像を入力し、該画像に対して画質補正のための画像処理を行う画像処理手段を備え、
前記画像処理手段は、前記撮像レンズのチルト位置に応じて、前記画質補正のための画像処理を行うことを特徴とする画像処理装置。
【請求項１６】
透過性を有する半球状のカバー部材を保持する保持手段と、前記保持手段に保持された前記カバー部材の内側に配置され、チルト機構により撮像レンズのチルト位置を変えることができる撮像手段とを有する撮像装置の画像処理方法であって、
前記撮像手段で撮影された画像に対して画質補正のための画像処理を行う画像処理工程を備え、
前記画像処理工程は、前記撮像レンズのチルト位置に応じて、前記画質補正のための画像処理を行うことを特徴とする撮像装置の画像処理方法。
【請求項１７】
請求項１６に記載の画像処理方法を撮像装置に実行させるためのコンピュータ読み取り可能なプログラム。